(57)【特許請求の範囲】
【請求項１】
モルタル材料を充填した収容孔内に固定するアンカーロッドであって、連結領域（２；２２；３２）、および軸線方向に順次に配置しそれぞれ直径が据え付け方向に向かって増大する複数個の円錐状拡大部（４；２４；３４）を有するアンカー領域（３；２３；３３）とを設けたアンカーロッドにおいて、前記円錐状拡大部（４；２４；３４）には、それぞれ長手方向軸線から半径方向に最大の距離をとり、窪み（７；２７）によって周方向に分断される周縁部分（５；２５；３５）を設け、この周縁部分の半径（ｒ）を前記アンカー領域（３；２３；３３）に必要な孔の公称直径の１／２よりも約０．１ｍｍ〜約１．５ｍｍ小さくし、前記周縁部分の窪み（７；２７）の部分を全体として周方向に３００°の範囲にわたり延在するようにしたことを特徴とするアンカーロッド。
【請求項２】
１個又はそれ以上の円錐状拡大部（４）の長手方向軸線（Ａ）から半径方向に最大距離をとる周縁部分（５）に、長手方向のぎざぎざ端縁としての窪み（７）を設けた請求項１記載のアンカーロッド。
【請求項３】
前記窪み（７）は軸線方向に順次に隣接する２個の前記円錐状拡大部（５）に対して周方向に互いにずらして配置した請求項２記載のアンカーロッド。
【請求項４】
前記円錐状拡大部（２４）に窪みとして１個の平坦部分（２７）を設け、この平坦部分は軸線に平行に延在させ、前記長手方向軸線（Ａ）から半径方向に最大距離をとる前記周縁部分（２５）は前記平坦部分（２７）によって最小の半径方向距離（ｓ）となり、平坦部分を設けていない周縁部分（２５）の半径方向距離（ｒ）の３０％〜９０％となるようにした請求項１記載のアンカーロッド。
【請求項５】
前記平坦部分（２７）を、軸線方向に順次に配置した円錐状拡大部（２４）に対して周方向に互いにずらし、約４５°〜約１８０°の範囲における角度でずらして配置した請求項４記載のアンカーロッド。
【請求項６】
アンカー領域（３；２３）の前方遊端から始まって、各円錐状拡大部（４；２４）に対して、直径が据え付け方向に向かって減少する逆円錐状部（６；２６）を配置した請求項１乃至５のうちのいずれか一項に記載のアンカーロッド。
【請求項７】
軸線方向に順次に配置した円錐状拡大部（３４）を長手方向軸線（Ａ）に対して半径方向にずらして配置した請求項１記載のアンカーロッド。
【請求項８】
アンカーロッド（３１）の長手方向軸線（Ａ）に対する半径方向のずれ（ｄ）を約０．５ｍｍ〜約２．５ｍｍの間の値とした請求項７記載のアンカーロッド。
【請求項９】
半径方向にずらした順次の円錐状拡大部（３４）を、約４５°〜約１８０°の範囲における角度で周方向にずらして配置した請求項７又は８記載のアンカーロッド。
【請求項１０】
前記アンカー領域にモルタル材料がこびりつかない被膜又は被覆を設け、モルタル材料がこびりつかないようにした請求項１乃至９のうちのいずれか一項に記載のアンカーロッド。
【発明の詳細な説明】
【０００１】
【発明の属する技術分野】
本発明は、収容孔内に充填したモルタル材料に固定するアンカーロッドであって、連結領域と、軸線方向に順次に配置しそれぞれ直径が据え付け方向に向かって増大するた円錐状拡大部を有するアンカー領域とを設けたアンカーロッドに関するものである。
【０００２】
【従来の技術】
固定個所に形成した孔に力及び／又は形状ロックにより固定する拡開アンカー又はアンダーカットシステムのような古典的固定技術の他に、モルタル材料を充填した孔内にアンカーロッドを挿入し、モルタル材料が硬化した後にアンカーロッドを固定する化学的固定技術がある。このような固定システムは、拡開圧力がなく、従って、小さいシャフト間距離及び端縁間距離を許容する。荷重支持のためには、有機性及び／又は無機性の多数の成分よりなるモルタル材料を予め形成した収容孔に充填しておく固定システムが知られており、これらのモルタル材料の各成分は初期にはガラス製又は合成樹脂製の容器内に互いに分離して配置しておく。例えば、ヨーロッパ特許第０３５６４２５号に記載のようなアンカーロッドは、収容孔内で長手方向軸線の周りに回転させながら打ち込む。打ち込んだアンカーロッドはモルタル材料の成分を収容した容器を破壊する。アンカーロッドの回転によりモルタル材料は多少密に混合され、また破壊された容器はより一層細かく破砕される。固定により得られる荷重支持能力は、成分の混合が良好か否かによって左右される。過去に、モルタル材料の成分のより良い混合を保証し、容器を十分細かく破砕し、しかもモルタル材料が過熱により不活性化されないようにするアンカーロッドの形状に関して多くの提案がなされた。しかし、モルタル材料の容器、特に、ガラス容器内に収容したモルタル材料の保管及び取り扱いの際に、容器が壊れないように相当な注意を要する。
【０００３】
更に、モルタル材料を混合して予め形成した収容孔内に挿入する他の固定アンカーシステムも既知である。本件出願人によっても販売されているこのような固定アンカーシステムは例えば、レンガ組積構造、特に、中空レンガ構造の固定に適用される。通常２個の相互反応成分よりなるモルタル材料を押出装置によって相互反応成分のための１個の容器を絞り出し、押出装置の注出開口に配置した混合装置により混合し、レンガ組積構造に予め形成した収容孔内に注入する。予め混合したモルタル材料を良好に分布させるため、また収容孔を形成したレンガの中空空間にモルタル材料が流出するのを阻止するため、貫通孔を設けたスリーブを収容孔内に設けておく。スリーブを設けた収容孔に十分モルタル材料を充填するため、所定の手順でモルタル材料を収容孔の開口から収容孔の内部に注入しなければならない。この後、アンカーロッドを予め混合したモルタル材料を充填したスリーブの孔内に挿入する。モルタル材料が硬化した後、このねじ付きアンカーロッドは収容孔に固定される。この既知の固定技術によってレンガ組積構造に得られる荷重支持能力は、実質的にレンガの剛性に左右される。
【０００４】
中実材料例えば、コンクリートでの固定の場合、モルタル材料の相互反応による良好な混合で達成されると予想される固定能力は、収容孔内にモルタル材料が良好に充填されるかに左右される。収容孔内への充填は、ガラス容器又は合成材料容器にそれぞれ分離して収納されており収容孔内で混合されるモルタル材料によって比較的容易に制御できる。モルタル材料の成分の粘性は概して比較的低い。このため、容器から解放されたモルタル材料成分は、ほぼ垂直な収容孔の最深部まで重力によって流入する。しかし、水平な若しくは上向きに傾斜した収容孔、又は頭上の作業では、モルタル材料の成分の低い粘性によりモルタル材料が流出するため作業が困難になる。
【０００５】
収容孔の外部から直接注入する混合済みのモルタル材料は高い粘性を有する。このようなモルタル材料は、水平若しくは上向きに傾斜する収容孔又は頭上の作業での充填に適している。しかし、高い粘性は収容孔に充填しにくいという欠点がある。予め混合したモルタル材料は通常とは異なって収容孔の底部から開口部に向かって収容孔内に注入するため、孔に十分モルタル材料を充填することができない。特に、収容孔の底部領域では挿入したアンカーロッドのアンカー領域はモルタル材料によって十分に埋設されず、達成される支持能力に悪影響を及ぼすことになる。
【０００６】
【発明が解決しようとする課題】
従って、本発明の目的は、モルタルを充填した収容孔に挿入するアンカーロッドであって、孔の底部に十分モルタル材料を充満できるアンカーロッドを得るにある。即ち、アンカーロッドの形状により挿入した状態のアンカー領域を完全にモルタル材料で十分に埋設することができるようにするアンカーロッドを得るにある。アンカーロッドをモルタル材料との結合のために収容孔内に挿入し、直接注入する相互反応成分は収容孔の外部で予め混合しておき、収容孔内で回転混合の際によく見られる過熱によるモルタル材料の不活性化の危険は回避することができるアンカーロッドを得るにある。
【０００７】
【課題を解決するための手段】
この目的を達成するため、本発明は、収容孔内に充填したモルタル材料に固定するアンカーロッドであって、連結領域と、軸線方向に順次に配置しそれぞれ直径が据え付け方向に向かって増大するた円錐状拡大部を有するアンカー領域とを設けたアンカーロッドにおいて、前記円錐状拡大部には長手方向軸線から半径方向に最大の距離をとる周縁部分を設け、この周縁部分の半径を前記アンカー領域に必要な公称直径の１／２よりも約０．１ｍｍ〜約１．５ｍｍ小さくし、前記周縁部分は全体として周方向に３００°の範囲にわたり延在し、好適には約１０°〜９０°の範囲の値だけ延在するようにしたことを特徴とする。
【０００８】
本発明によるアンカー領域の形状によれば、アンカーロッドを収容孔内に押し込むことによって、モルタル材料は収容孔の底部の方向に押しやられ、圧縮される。モルタル材料が収容孔の底部に達すると十分大きな背圧を生じ、モルタル材料はアンカーロッドの長手方向軸線から半径方向に最大距離をとる円錐状拡大部の周縁部分を通過して逆流する。このようにして、初期に収容孔に不十分にしか充填されていなかったとしても、予め混合されたモルタル材料は、収容孔の深さ全体にわたり分布され、特に、収容孔の最深部にもいきわたる。過剰のモルタルは収容孔の開口部から流出する。このようにして、アンカーロッドはアンカー領域の長さ全体にわたりモルタル材料に埋設されることになる。収容孔の壁と円錐状拡大部との間に十分大きな横断面クリアランスが残存しているため、アンカーロッドを収容孔に挿入し、またモルタル材料に含有される充填材料の濾過分離を回避することができる。
【０００９】
本発明の好適な実施例においては、１個又はそれ以上の円錐状拡大部の長手方向軸線から半径方向に最大距離をとる周縁部分に窪み、好適には、長手方向のぎざぎざ端縁を設ける。この構成により、収容孔の壁と円錐状拡大部との間に残存する横断面クリアランスは、モルタル材料を堆積させることなくまた予め混合したモルタル材料を充填した収容孔内にアンカーロッドを挿入するために必要な力を過剰に増大させることなくモルタル材料の流動性を小さい値に減少することができる。
【００１０】
モルタル材料の初期圧縮のために、本発明の好適な実施例においては、前記窪みは軸線方向に順次に隣接する２個の前記円錐状拡大部に対して周方向に互いにずらして配置する。この構成によれば、モルタル材料の混合が更に促進され、このことは硬化反応に有利に作用する。
【００１１】
更に、本発明の好適な実施例においては、前記円錐状拡大部に窪みとして１個の平坦部分を設け、この平坦部分は軸線に平行に延在させ、前記長手方向軸線から半径方向に最大距離をとる前記周縁部分は前記平坦部分によって最小の半径方向距離となり、平坦部分を設けていない周縁部分の半径方向距離が全周の３０％〜９０％となるようにする。アンカーロッドのアンカー領域の形状を選択することによって、アンカーロッドをモルタル材料を充填した収容孔内に差し込む際に収容孔の最深部へのモルタル材料の所望の初期押し込みを行なうことができる。この後モルタル材料は、アンカーロッドに堆積することなくまたアンカーロッドの挿入に対する抵抗を過剰に増大させることなく逆流することができる。アンカー領域の円錐状拡大部に平坦部分を形成する工程は比較的簡単かつコスト的にも有利である。
【００１２】
更に好適な実施例においては、前記平坦部分を、軸線方向に順次に配置した円錐状拡大部に対して周方向に互いにずらし、好適には、約４５°〜約１８０°の間の値の角度でずらして配置する。この構成によれば、アンカーロッドを収容孔内に挿入する際にモルタル材料に乱流を生ぜしめ、モルタル材料の相互反応成分の一層良好な混合を促進する。
【００１３】
アンカー領域の前方遊端から始まって、各円錐状拡大部に対して、直径が据え付け方向に向かって減少する逆円錐状部を配置したアンカーロッドによれば、モルタル材料は窪み又は平坦部分に導かれる。この構成によれば、モルタル材料を充填した収容孔内にアンカーロッドを挿入する際の抵抗を比較的小さくすることができる。
【００１４】
本発明の更に他の好適な実施例においては、軸線方向に順次に配置した円錐状拡大部を長手方向軸線に対して半径方向にずらして配置する。軸線方向に順次に配置した円錐状拡大部のこの半径方向のずれは、片側の平坦側面に関しても適用することができ、これによっても収容孔の深さ全体にわたりモルタル材料を分布させる利点をもたらすことができる。
【００１５】
モルタル材料を充填した収容孔内へのアンカーロッドの挿入に対する抵抗に関してモルタル材料の分布を良好にするためには、アンカーロッドの長手方向軸線に対する半径方向のずれを約０．５ｍｍ〜約２．５ｍｍの間の値とすると好適である。
【００１６】
半径方向にずらした順次の円錐状拡大部を、約４５°〜約１８０°の範囲の値のずれで周方向にずらして配置する実施例によれば、収容孔の内部でアンカーロッドによって押し込まれまたこのアンカーロッドに沿って逆流するモルタル材料の乱流を生じ、モルタル材料の相互反応成分の混合がより一層促進される。
【００１７】
更に、本発明の好適な実施例においては、前記アンカー領域にモルタル材料がこびりつかない外面、好適には、被膜又は被覆を設け、モルタル材料がこびりつかないようにする。この構成により、アンカーロッドが亀裂を生じた位置で荷重により軸線方向に移動しようとしても荷重を支持することができる。即ち、硬化したモルタルの外皮は拡開によって収容孔の壁に圧着し、収容孔の壁とモルタル外皮との間の形状ロックが保証される。この事後拡開作用によって、アンカーロッドは亀裂部分に対しても効果があり、コンクリートの張力が加わる区域にも据え付けることができる。
【００１８】
【発明の実施の形態】
次に、図面につき本発明の好適な実施の形態を説明する。
【００１９】
図１に示す本発明による好適な実施の形態のアンカーロッドを参照符号１を付して説明する。アンカーロッド１は連結領域２を有し、この連結領域２に据え付け方向に連続してアンカー領域３を設ける。このアンカー領域３は使用状態では収容孔に充填したモルタル材料内に配置する。アンカー領域３は、複数個の例えば、４個の軸線方向に順次に配置した円錐状拡大部４を設ける。これら円錐状の拡大部４は据え付け方向に向かって、アンカーロッド１の長手方向軸線Ａから半径方向に最大の距離をとる最大周縁部分５まで拡大する。最大周縁部分５の半径ｒは、アンカー領域３を収容するに必要なアンカーロッド１の公称直径の１／２よりも約０．１ｍｍ〜約１．５ｍｍ小さいものとする。
【００２０】
最大周縁部分５の領域において、円錐状拡大部４に窪み７を設け、これら窪み７は、例えば、図示の実施の形態では長手方向に延びるぎざぎざ端縁を生ずるようにする。長手方向に延びるぎざぎざ端縁の代わりに、粗い歯車状の窪み７を周縁部分５に生ずるよう形成することもできる。この結果、窪み７は、長手方向軸線Ａから半径方向に最大の距離にある周縁部分５を周方向に分断する。周方向に延在する円錐状拡大部４の窪み７以外の周縁部分５は全体として周方向に最大で３００°の角度にわたり延在するものとする。好適には、円錐状拡大部４の周縁部分５は合計で約１０°〜９０°の角度範囲にわたって延在するようにする。
【００２１】
アンカーロッド１のアンカー領域３の前方の遊端から始まって、各円錐状拡大部４には逆向きの円錐状部６を設け、この円錐状部６は据え付け方向に直径が減少する。各逆円錐状部６を、それぞれアンカーロッド１の長手方向軸線Ａから半径方向に最大の距離をとる周縁部分５に隣接させる。
【００２２】
【実施例】
図２には本発明による他の実施例のアンカーロッド２１を示す。このアンカー領域２３は全体構成として図１に示すアンカーロッドのアンカー領域の構成と酷似している多くの部分を有する。対応する部分には参照符号に２０を加えた符号として示す。実質的な違いは、各円錐状拡大部２４に平坦部分２７を設けた点である。この平坦部分２７は軸線方向に好適には、アンカーロッド２１の長手方向軸線Ａに平行に延在させる。平坦部分２７を設けることによって、長手方向軸線Ａから半径方向に最大の距離をとる周縁部分２５に対して平坦部分２７の位置で半径方向最小距離ｓを与え、従って、平坦部分を除いて周縁部分２５の半径方向距離ｒの部分が周方向にわたり全体の３０％〜９０％となるようにする。平坦部分２７は軸線方向に順次に配置した円錐状部２４に対して、周方向に互いにずらして配置する。図示の実施例ではこのずれは周方向に約１８０°である。円錐状拡大部２４はこれとは異なるずれを有する平坦部分２７を設けることもでき、好適には、約４５°〜１８０°の間の値のずれにすることができる。アンカーロッド２１のアンカー領域２３の前方の遊端から始まって、各円錐状拡大部２４にはそれぞれ据え付け方向に向かって直径が減少する逆円錐状部２６を設ける。これら逆円錐状部２６はそれぞれアンカーロッド２１の長手方向軸線Ａから半径方向に最大の距離にある周縁部分２５に隣接させる。
【００２３】
図３には本発明による更に他の実施例のアンカーロッド３１を示す。アンカーロッド３１の連結領域には参照符号３２を付し、この連結領域３２に対して据え付け方向に隣接するアンカー領域には参照符号３３を付して説明する。アンカー領域３３には複数個の円錐状拡大部３４を設け、これらの円錐状拡大部３４はアンカーロッド３１の長手方向軸線Ａに関して順次にまた半径方向にずらして配置する。この長手方向軸線Ａに対する半径方向のずれは、約０．５ｍｍ〜約２．５ｍｍとする。半径方向にずれる円錐状拡大部３４は周方向にも互いにずれる。好適には、軸線方向に順次に配置した円錐状拡大部３４の周方向のずれは約４５°〜１８０°の間の値のずれとする。図示の実施例においては、このずれは約１８０°のずれである。半径方向及び周方向に互いにずれる円錐状拡大部３４はほぼ円筒形部分３８を介して分離し、この円筒形部分３８に対して長手方向軸線Ａから半径方向に最大の距離をとる周縁部分３５が隣接する。円筒形部分３８も長手方向軸線Ａに対して半径方向にずれた位置をとる。例えば、図示のように、円筒形部分の円筒側面はそれぞれ円筒形部分に直接隣接する円錐状拡大部３４の周縁部分３５と同様に長手方向軸線Ａから最大の半径方向距離を有する。前方の円錐状拡大部３４の周縁部分３５には、図示のように逆円錐状部３６を設ける。
【００２４】
アンカーロッド１，２１，３１が収容孔にできた亀裂に対して事後拡開作用を生ずることができるようにするため、アンカー領域３，２３，３３にモルタル材料がこびりつかない外面を設ける。好適には、アンカー領域３，２３，３３にはこびりつかない被膜又は被覆を施す。
【図面の簡単な説明】
【図１】本発明アンカーロッドの好適な実施の形態の線図的説明図である。
【図２】本発明アンカーロッドの好適な実施例の線図的説明図である。
【図３】本発明アンカーロッドの好適な他の実施例の線図的説明図である。
【符号の説明】
1,21,33   アンカーロッド
2,22,33   連結領域
3,23,33   アンカー領域
4,24,34   円錐状拡大部
5,25,35   周縁部分
6,26,36   逆円錐状部
７  窪み
27  平坦部分
38
【図１】
0004584375.tif 000002
【図２】
0004584375.tif 000003
【図３】
0004584375.tif 000004